【手続補正書】
【提出日】平成29年8月10日(2017.8.10)
【手続補正１】
【補正対象書類名】明細書
【補正対象項目名】０００９
【補正方法】変更
【補正の内容】
【０００９】
本発明に係る印刷システムは、印刷ジョブのジョブデータに応じた画像をシートに印刷する印刷手段と、前記印刷手段で印刷されたシートを積載可能な複数のシート積載手段と、前記印刷ジョブの設定に従って複数の前記シート積載手段の中から前記印刷手段で印刷されたシートの排紙先を決定する制御手段と、各種の情報を表示する表示手段と、を備える印刷システムであって、前記複数のシート積載手段はそれぞれ、シートの満載状態を検知する検知手段を有し、前記制御手段は、前記検知手段により排紙先のシート積載手段が満載状態であると検知された場合に、シートの排紙が可能な他のシート積載手段を探索し、前記他のシート積載手段がある場合には排紙先を当該他のシート積載手段へ変更して該印刷手段によるシートへの印刷を継続し、該印刷の継続後、当該他のシート積載手段の満載状態が前記検知手段により検知され、シートの排紙が可能な他のシート積載手段がなくなった場合には、前記表示手段に排紙先のシート積載手段が満載状態であることを表示させると共に、前記印刷ジョブに係るシートが積載された前記複数のシート積載手段のうち最も古くに排紙されたシートが積載されているシート積載手段のシートを取り除くべきことを前記表示手段に表示させることを特徴とする。
【手続補正２】
【補正対象書類名】明細書
【補正対象項目名】００２０
【補正方法】変更
【補正の内容】
【００２０】
なお、本実施形態では、印刷システム１１０での処理が終了し、オペレータが印刷システム１１０から取り出し可能となった１又は複数のシートを印刷物と称することとする。よって、図３を参照して後述する第１の大容量スタッカ３６１の積載部３６５に積載されたシートや積載部３６５からイジェクトトレイ３６６へ移し替えられたシート、エスケープトレイ３６７へ出力されたシートは、印刷物である。同様に、第２の大容量スタッカ３７１の積載部３７５に積載されたシートや積載部３７５からイジェクトトレイ３７６へ移し替えられたシート、エスケープトレイ３７７へ出力されたシートも、印刷物である。更に、フィニッシャ３３４の排紙トレイ３３５，３３６及び中とじ製本トレイ３３７にそれぞれ出力されたシートも、印刷物と称する。また、本実施形態では、サーバ１０３及びクライアント１０４の操作者をユーザと称し、印刷システム１１０の操作者をオペレータと称することとする。ユーザとオペレータとは、一致する場合もあるし、別人である場合もある。
【手続補正３】
【補正対象書類名】明細書
【補正対象項目名】００３７
【補正方法】変更
【補正の内容】
【００３７】
画像形成装置３０１には、標準給紙部としての給紙デッキ３０５，３０６が設けられている。画像形成装置３０１は、Ｙ（イエロー），Ｍ（マゼンタ），Ｃ（シアン），Ｋ（ブラック）の４つのステーションを有し、各色の画像を形成するための現像ユニット３０７，３０８，３０９，３１０を有する。スキャナ部２０１で生成された画像データは、現像ユニット３０７〜３１０において画像（トナー像）に現像される。画像は、中間転写ベルト３１１に一次転写され、中間転写ベルト３１１は図示状態で時計回りに回転し、二次転写位置３１２でシート搬送路３０４から搬送されてきたシートへ転写される。シートへ転写された画像は、画像形成装置３０１から画像定着装置３０２へ受け渡される。
【手続補正４】
【補正対象書類名】明細書
【補正対象項目名】００３９
【補正方法】変更
【補正の内容】
【００３９】
シート処理装置１３０は、画像定着装置３０２の図３中左側に配置されている。シート処理装置１３０は、画像定着装置３０２側から順に接続された、多穴パンチャ３５１、第１の大容量スタッカ３６１、第２の大容量スタッカ３７１及びフィニッシャ３３４を有する。なお、第１の大容量スタッカ３６１及び第２の大容量スタッカ３７１はそれぞれ、大量の印刷物を積載可能な大容量シート積載装置である。以下の説明では、「第１の大容量スタッカ３６１」を「第１のスタッカ３６１」と記し、「第２の大容量スタッカ３７１」を「第２のスタッカ３７１」と記すこととする。
【手続補正５】
【補正対象書類名】特許請求の範囲
【補正対象項目名】全文
【補正方法】変更
【補正の内容】
【特許請求の範囲】
【請求項１】
印刷ジョブのジョブデータに応じた画像をシートに印刷する印刷手段と、
前記印刷手段で印刷されたシートを積載可能な複数のシート積載手段と、
前記印刷ジョブの設定に従って複数の前記シート積載手段の中から前記印刷手段で印刷されたシートの排紙先を決定する制御手段と、
各種の情報を表示する表示手段と、を備える印刷システムであって、
前記複数のシート積載手段はそれぞれ、シートの満載状態を検知する検知手段を有し、
前記制御手段は、前記検知手段により排紙先のシート積載手段が満載状態であると検知された場合に、シートの排紙が可能な他のシート積載手段を探索し、前記他のシート積載手段がある場合には排紙先を当該他のシート積載手段へ変更して該印刷手段によるシートへの印刷を継続し、該印刷の継続後、当該他のシート積載手段の満載状態が前記検知手段により検知され、シートの排紙が可能な他のシート積載手段がなくなった場合には、前記表示手段に排紙先のシート積載手段が満載状態であることを表示させると共に、前記印刷ジョブに係るシートが積載された前記複数のシート積載手段のうち最も古くに排紙されたシートが積載されているシート積載手段のシートを取り除くべきことを前記表示手段に表示させることを特徴とする印刷システム。
【請求項２】
前記制御手段は、
前記ジョブデータを解析して前記印刷ジョブでの前記印刷手段で印刷されたシートの排紙が可能な少なくとも１つの排紙先を複数の前記シート積載手段の中から抽出する抽出手段と、
前記抽出手段により抽出された前記少なくとも１つの排紙先の中で前記印刷手段で印刷されたシートを排紙すべき優先順位を設定する設定手段と、を有することを特徴とする請求項１に記載の印刷システム。
【請求項３】
前記制御手段は、前記抽出手段が前記少なくとも１つの排紙先を抽出した場合には、前記少なくとも１つの排紙先に前記印刷手段で印刷されたシートが既に積載されているか否かを判定し、前記シートが既に積載されている場合には、前記既に積載されているシートの上へ前記印刷手段で印刷されるシートの積載を停止することを特徴とする請求項２に記載の印刷システム。
【請求項４】
複数の前記シート積載手段の１つはシートを積載可能な積載部であり、
前記印刷システムは、前記積載部を有するシート積載装置を備えることを特徴とする請求項１乃至３のいずれか１項に記載の印刷システム。
【請求項５】
前記制御手段は、前記印刷ジョブが終了したときまたは前記印刷ジョブの実行中に前記検知手段がシート積載手段への前記印刷手段で印刷されたシートの積載が不可能であることを検知した場合に、その時間と前記シート積載手段とを対応付けて保存し、前記印刷ジョブで設定されている排紙先が前記シート積載装置の前記積載部を自動で切り替える設定となっている場合には、前記保存した時間の中で最も古い時間に排紙が行われた前記積載部から優先してシートを取り出すように前記表示手段に表示し、前記印刷ジョブで設定されている排紙先が固定されている場合には、前記保存した時間にかかわらず前記固定されている排紙先から優先してシートを取り出すように前記表示手段に表示することを特徴とする請求項４に記載の印刷システム。
【請求項６】
前記制御手段は、前記印刷ジョブで設定されている排紙先が前記シート積載装置の前記積載部を自動で切り替える設定となっている場合、前記積載部への前記印刷手段で印刷されたシートの積載が不可能となったことを前記検知手段が検知したときに、前記積載部に積載されたシートを優先して取り出すように前記表示手段に表示することを特徴とする請求項４に記載の印刷システム。
【請求項７】
前記シート積載装置は、
前記積載部に積載されたシートを外部へ取り出すための取出部と、
前記積載部に積載されたシートを前記取出部に移し換える移し換え手段と、を有し、
前記制御手段は、前記印刷ジョブの実行中に前記積載部への前記印刷手段で印刷されたシートの積載が不可能となったことを前記検知手段が検知した場合において、前記積載部に既に積載されているシートを前記取出部に移し替えることが可能か否かを判定し、前記移し替えが可能な場合には、前記印刷手段によるシートへの印刷を継続し、前記移し換えが不可能な場合には、前記印刷手段により印刷されたシートの前記積載部への積載を停止し、
前記印刷ジョブの実行前に前記積載部への前記印刷手段で印刷されたシートの積載が不可能となったことを前記検知手段が検知した場合には、前記積載部に既に積載されているシートの前記取出部への移し替えが可能か否かによらず、前記移し替え手段よる処理を実行せずに前記印刷手段によるシートへの印刷を実行し、前記印刷手段により印刷されたシートを前記積載部を除いた別の前記シート積載手段へ排紙することを特徴とする請求項４に記載の印刷システム。
【請求項８】
印刷システムで実行される制御方法であって、
受け付けた印刷ジョブのジョブデータに応じた画像を印刷手段によりシートに印刷する印刷ステップと、
前記印刷ステップで印刷されたシートの排紙先を前記印刷ジョブでの設定に従って複数のシート積載手段の中から決定する制御ステップと、
前記複数のシート積載手段のそれぞれの満載状態を検知する検知ステップと、を有し、
前記制御ステップでは、排紙先のシート積載手段が満載状態であると前記検知ステップにより検知された場合に、シートの排紙が可能な他のシート積載手段を探索し、前記他のシート積載手段がある場合には排紙先を当該他のシート積載手段へ変更して該印刷手段によるシートへの印刷を継続し、該印刷の継続後、当該他のシート積載手段の満載状態が前記検知ステップにより検知され、シートの排紙が可能な他のシート積載手段がなくなった場合には、排紙先のシート積載手段が満載状態であることを表示手段に表示させると共に、前記印刷ジョブに係るシートが積載された前記複数のシート積載手段のうち最も古くに排紙されたシートが積載されているシート積載手段のシートを取り除くべきことを前記表示手段に表示させることを特徴とする印刷システムの制御方法。
【請求項９】
印刷システムが備えるコンピュータに、請求項８に記載の印刷システムの制御方法を実行させることを特徴とするプログラム。